(57)【要約】【課題】  異なる判別方法を利用する電子機器でも、充電できるパック電池を提供することを目的とする。【解決手段】  電子機器Ｃ１より充電されると共に、該電子機器Ｃ１と通信を行うパック電池Ａ１であって、該パック電池Ａ１内の通信ラインに電気接続された識別用抵抗体Ｒｓと、前記通信ラインからの通信処理により電子機器Ｃ１の識別判定を行う識別機能を有する制御手段とを備えることを特徴とする。また、制御手段の識別機能を利用してパック電池Ａ１の識別判定を行う識別機能を有する電子機器Ｃ１を備える。更に、識別用抵抗体Ｒｓに電圧を印加してパック電池Ａ１の識別判定を行う識別機能を有する他の電子機器Ｃ２とを備える。【選択図】  図２
2007189789.tif 000002
【特許請求の範囲】
【請求項１】
電子機器より充電されると共に、該電子機器と通信を行うパック電池であって、
該パック電池内の通信ラインに電気接続された識別用抵抗体と、
前記通信ラインからの通信処理により前記電子機器の識別判定を行う識別機能を有する制御手段とを備えることを特徴とするパック電池。
【請求項２】
電子機器より充電されると共に、該電子機器と通信を行うパック電池であって、該パック電池内の通信ラインに電気接続された識別用抵抗体と、前記通信ラインからの通信処理により前記電子機器の識別判定を行う識別機能を有する制御手段とを備えるパック電池と、
前記制御手段の識別機能を利用して前記パック電池の識別判定を行う識別機能を有する電子機器とを備えることを特徴とするパック電池と電子機器。
【請求項３】
前記識別用抵抗体に電圧を印加して前記パック電池の識別判定を行う識別機能を有する他の電子機器とを備えることを特徴とするパック電池と電子機器。
【請求項４】
前記制御手段の識別機能を利用して前記パック電池の識別判定を行う識別機能を有する前記電子機器においては、
該識別機能により前記パック電池が正常品であると識別されたとき、前記電子機器は、定電圧である第1充電電圧にて充電を行い、
該識別機能により前記パック電池が正常品と識別されないとき、前記電子機器は、前記第1充電電圧より低い定電圧である第２充電電圧にて充電を行う電圧手段を備えることを特徴とする請求項３のパック電池と電子機器。
【発明の詳細な説明】
【技術分野】
【０００１】
本発明は、パック電池、パック電池と電子機器に関する。
【背景技術】
【０００２】
従来、パック電池内にサーミスタである感温素子を内蔵し、パック電池の接続端子である温度端子を介して、電子機器側（例えば、電動工具本体、充電器、ノート型パーソナルコンピュータ等）にて、パック電池の温度を測定し、各種の制御をすることが行われていた。
【０００３】
一方、パック電池において、制御手段として、マイクロプロセッサーユニットを備えるものは、残容量を演算し表示するため、また、パック電池が正規品(又は所望の製品、該当機種製品)であるかどうかを確認するＩＤ(=身分証明)機能のため等により、電子機器側と通信する機能を備えている（下記特許文献１）。
【０００４】
このようなＩＤ機能のようなデジタル信号の通信による判定以外にも、パック電池内の識別用抵抗に、電子機器より電圧を印加して、正常な分圧された電圧値が得られるかで、パック電池が所望なものかどうかを識別判定することが行われている。
【特許文献１】特開2005-93109号公報
【発明の開示】
【発明が解決しようとする課題】
【０００５】
しかしながら、上記の識別用抵抗を利用したパック電池を、ＩＤ機能を備える電子機器にて充電を試みるなら、電子機器においては、通信によるＩＤ判定ができないことにより、所望のパック電池と判断せず、充電を行わないことになる。
【０００６】
本発明は、このような問題点を解決するために成されたものであり、充電を行う電子機器において、異なる判別方法を利用する電子機器でも、充電できるパック電池を提供することを目的とする。
【課題を解決するための手段】
【０００７】
本発明のパック電池は、電子機器より充電されると共に、該電子機器と通信を行うパック電池であって、該パック電池内の通信ラインに電気接続された識別用抵抗体と、前記通信ラインからの通信処理により前記電子機器の識別判定を行う識別機能を有する制御手段とを備えることを特徴とする。
【０００８】
また、本発明の電子機器は、前記制御手段の識別機能を利用して前記パック電池の識別判定を行う識別機能を有することを特徴とする。
【０００９】
更に、本発明の他の電子機器は、前記識別用抵抗体に電圧を印加して前記パック電池の識別判定を行う識別機能を有することを特徴とする。
【００１０】
そして、本発明の電子機器として、前記制御手段の識別機能を利用して前記パック電池の識別判定を行う識別機能を有する前記電子機器においては、該識別機能により前記パック電池が正常品であると識別されたとき、前記電子機器は、定電圧である第1充電電圧にて充電を行い、該識別機能により前記パック電池が正常品と識別されないとき、前記電子機器は、前記第1充電電圧より低い定電圧である第２充電電圧にて充電を行う電圧手段を備えることを特徴とする。
【発明の効果】
【００１１】
本発明においては、電子機器側が通信処理により識別判定を行う機能のものについては、パック電池内の制御手段の識別機能を利用して、電子機器、パック電池の識別を行う。また、電子機器側がパック電池内の識別用抵抗を利用して識別する機能のものについては、該識別用抵抗を利用して、電子機器、パック電池の識別を行う。よって、本発明のパック電池においては、異なる判別方法を利用する電子機器に対応して、充電することができる。
【００１２】
また、制御手段の識別機能を利用して識別機能を有する前記電子機器においては、パック電池が正常品であると識別されたとき、電子機器は、定電圧である第1充電電圧にて充電を行い、パック電池が正常品と識別されないとき、前記電子機器は、前記第1充電電圧より低下した定電圧である前第２充電電圧を発生する電圧発生手段を備えていることにより、パック電池により適正な充電電圧が異なる場合に、パック電池の種類毎に、適切な充電電圧を提供することができる。
【発明を実施するための最良の形態】
【００１３】
本発明の実施例を、図を用いて詳細に説明する。図１を利用して、本実施例の概略を説明する。パック電池としては、本発明である識別用抵抗体Ｒと識別機能（＝デジタル識別機能）を有する制御手段５とを備えるパック電池Ａ１と、従来より利用されている識別用抵抗体Ｒを有するパック電池Ａ２とが利用できる。パック電池Ａ１においては、高い電圧(第1充電電圧、約４．３Ｖ)で充電できるリチウムイオン電池１を内蔵し、パック電池Ａ２においては、従来からの低い電圧（第２充電電圧、約４．２Ｖ）で充電できるリチウムイオン電池１を内蔵している。
【００１４】
また、充電機能を有する電子機器としては、リチウムイオン電池１を周知の定電流・定電圧充電する電源を内蔵するものであって、上述のパック電池Ａ１の制御手段５の識別機能を利用してパック電池の識別判定を行う識別機能（＝デジタル識別機能）を有する電子機器Ｃ１を利用する。この電子機器Ｃ１においては、充電電圧は、高い電圧(第1充電電圧、約４．３Ｖ)を提供する。ここで、電子機器Ｃ１に、識別用抵抗体Ｒを有する低い充電電圧のパック電池Ａ２が装着されたときは、充電電圧を低い充電電圧（第２充電電圧、約４．２Ｖ）とする電圧発生手段を備えている。また、上述のパック電池Ａ２の識別用抵抗体Ｒに電圧を印加して前記パック電池の識別判定を行う識別機能を有する電子機器Ｃ２を利用する。この電子機器Ｃ２は、充電電圧は、低い電圧（第２充電電圧、約４．２Ｖ）を提供する。
【００１５】
このようなパック電池Ａ１、Ａ２、電子機器Ｃ１、Ｃ２の識別、充電手順について、図１を利用して説明する。識別用抵抗体Ｒｓとデジタル識別機能とのパック電池Ａ１を、デジタル識別機能の電子機器Ｃ１で充電するときは、両者がデジタル識別機能にて正常品であるかどうかを判定する。正常品と判定されたときは、電子機器Ｃ１は、充電電圧を、高い電圧(第1充電電圧、約４．３Ｖ)として充電を行う（図１の矢印１）。識別用抵抗体Ｒｓのパック電池Ａ２を、デジタル識別機能の電子機器Ｃ１で充電するときは、電子機器Ｃ１は、デジタル識別機能が機能しないことを認識して、識別用抵抗体Ｒｓの電圧にて、正常品であるかどうかを判定する。正常品と判定されたときは、電子機器Ｃ１は、充電電圧を、低い電圧（第２充電電圧、約４．２Ｖ）として充電を行う（図１の矢印２）。
【００１６】
識別用抵抗体Ｒｓとデジタル識別機能とのパック電池Ａ１を、識別用抵抗体Ｒｓの電子機器Ｃ２で充電するときは、電子機器Ｃ２は、識別用抵抗体Ｒｓの電圧にて、正常品であるかどうかを判定する。正常品と判定されたときは、電子機器Ｃ２は、充電電圧を、低い電圧（第２充電電圧、約４．２Ｖ）として充電を行う（図１の矢印３）。識別用抵抗体Ｒｓのパック電池Ａ２を、識別用抵抗体Ｒｓの電子機器Ｃ２で充電するときは、電子機器Ｃ２は、識別用抵抗体Ｒｓの電圧にて、正常品であるかどうかを判定する。正常品と判定されたときは、電子機器Ｃ２は、充電電圧を、低い電圧（第２充電電圧、約４．２Ｖ）として充電を行う（図１の矢印４）。ここで、正常品でないものとしては、コピー商品である模倣品がある。また、適正な機種の製品でない場合等がある。
【００１７】
本発明の実施例を、図を用いて詳細に説明する。図２に示すように、本実施例においては、パック電池Ａ１と、これを充電する電源を備える電子機器Ｃ１とを備えている。電子機器Ｃ１は、ノート型のような携帯型パーソナルコンピュータでも、充電器であっても良い。パック電池Ａ１は、通常、電子機器Ｃ１に着脱自在に装着される構造である。電子機器Ｃ１には、コンセントからの交流商用電力を直流電力に変換するアダプター（図示せず）から出力される直流電力が供給され、この電力を制御し、供給するマイコンを内蔵する制御・電源手段Ｓを備えている。制御・電源手段Ｓからの電力出力は、パック電池Ａ１を充電するのに利用される。
【００１８】
電子機器Ｃ１は、２つの通信ラインであるデータラインＳＤＡ、クロックラインＳＣＬを介して、データ信号等を送信、受信する機能を備えている。このような通信ラインの端部には、制御・電源手段Ｓ内に備える電源部（図示せず）から電源Ｖ(５Ｖ)を供給して、抵抗Ｒを接続している。制御・電源手段Ｓにおいては、通信処理により、パック電池が正常品であると識別されたとき、定電圧である第1充電電圧（約４．３Ｖ)にて充電を行い、通信ができないときも含めて、通信処理により、パック電池が正常品でないと識別されたとき、或いは正常品と識別できないときは、この段階では充電を開始しない。次に、識別用抵抗体Ｒｓによる分圧である電圧Ｒｓ×Ｖ／（Ｒｓ＋Ｒ）を制御・電源手段Ｓが判定することで、パック電池が正常品であるかを識別する。正常品であると識別したとき、低い電圧（第２充電電圧、約４．２Ｖ）にて制御・電源手段Ｓは充電を開始する。また、正常品でないと判定されるときには、電子機器Ｃ１の制御・電源手段Ｓは充電を開始しない。
【００１９】
電子機器Ｃ１は、第1充電電圧、及び第1充電電圧より低下した定電圧である第２充電電圧にて充電を行う電圧発生手段を備えている。このように、リチウムイオン電池を定電流充電の後、定電圧充電する定電流・定電圧充電するときに、定電圧の設定電圧が変更できる電圧発生手段については、本出願人が出願した特開平８−２０５４１８号の図５に開示された回路等を採用することができる。
【００２０】
図２に示すように、本実施例のパック電池Ａ１においては、リチウムイオン等の二次電池１と、電池１の充放電時の電流を検出する抵抗２（電流検出部に相当する）と、電池１の充放電を監視、制御等する制御手段であるマイクロプロセッサーユニット(以下、ＭＰＵと言う）とを備えている。また、パック電池Ａ内には、電池１に密接して配置されたサーミスタを含む温度検出部３が設けられている。そして、電子機器Ｃ１に、電池パックＡ１が取り付けられたとき、電池１からの出力を、＋端子及びＧＮＤ端子より供給し、電子機器Ｃ１との通信は、通信ラインの端子ＳＣＬ、ＳＤＡを介して行われる。なお、本実施例においては、制御手段にマイコンを利用しているが、マイコンでないＩＣ素子を複数利用しても良い。
【００２１】
ＭＰＵにおいては、電池電圧や検出抵抗２両端のアナログ電圧をデジタル変換し、実電圧[mV]や実電流値[mA]に換算するＡ／Ｄ変換部３と、充放電電流を積算して残容量を演算処理すると共に、電池１の満充電を検出したり、異常電流、異常温度、異常電圧の検出時等に、充放電を制御する制御部５を備えている。また、スイッチングトランジスタ等からなる制御素子７は、オンオフ制御され、異常電流、異常温度、異常電圧の検出時に、制御部５からの制御信号で電流を遮断する。つまり、制御素子７は、電流を供給、遮断状態としている。また、制御部５においては、A/D変換部３によって変換された充放電電流に測定単位時間（例えば、２５０ｍsec）を掛け算した値を積算し、放電時においては満充電から積算値を引き算し、或いは、充電時においては充電開始時の残容量より積算値を加算する。このような演算により、電池１の残容量を算出している。
【００２２】
ここで、制御部５は、充電電流、放電電流を遮断するために、ｐチャネル型FETである充電用FET素子７１、放電用FET素子７２に対して、オンオフ制御する信号を発する。制御部５においては、電池１の電圧が、過充電電圧（第1充電電圧、４．３Ｖ以上）以上になると、充電用FET素子７１をオフ制御するために、オフ信号（素子７１がｐチャネル型FETのゲートに印加するため、オフ信号の電圧は、High電圧の信号に相当する）を、ポートＣＨより発する。ここで、制御部５は、通信処理による識別機能を利用していないことを検知したときは、低い第２充電電圧（約４．２Ｖ）による充電であると判定して、過充電電圧を、第２充電電圧（約４．２Ｖ以下）に変更する。
【００２３】
また、電池１の電圧が、過放電電圧以下（例えば、２．３Ｖ／Cell以下）になると、放電用FET素子７２をオフ制御するために、オフ信号（素子７２がｐチャネル型FETのゲートに印加するため、オフ信号の電圧は、High電圧の信号に相当する）を、ポートＤＳＧより発する。なお、上述のように、素子７１、７２のｐチャネル型FETのゲートに印加するため、オフ信号の電圧は、High電圧の信号に相当し、オン信号の電圧は、Low電圧の信号に相当する。また、過充電状態においては、制御部５よりポートＣＨにオフ信号が発せられることより、充電は停止される。このときは、携帯機器ＰＣが放電すると、ＤＳＧはオン信号であるので、放電用FET素子７２がオン状態で、オフ状態の充電用FET素子７１の寄生ダイオード７１Ｂを介して、放電できる。また、過放電状態においては、制御部５よりポートＤＳＧにオフ信号が発せられることより、放電は停止される。このときは、電子機器Ｃ１が充電すると、ＣＨはオン信号であるので、充電用FET素子７１がオン状態で、オフ状態の放電用FET素子７２の寄生ダイオード７２Ｂを介して、充電できる。
【００２４】
制御部５においては、A/D変換部３により変換された電池電圧と充電電流から満充電（電流、電圧を規制した定電流・定電圧充電においては、電圧が所定値以上、電流が所定値以下の条件のとき、満充電とする）を検出し、残容量を100%とする情報を出力する。満充電の情報は、通信ラインを介して、電子機器Ｐに送信されることもできる。
【００２５】
電子機器Ｃ１との通信処理は、以下のように、通信部９にて行われる。通信部９は、ＩＤ(=身分証明)に相当する情報、電池電圧、残容量、充放電電流値等の各種の電池情報を電子機器が受信できる信号データに作成する通信データ作成部と、ＰＣや充電器と実際に通信を行うためのドライバ部と、残容量を算出するための各種パラメータの記憶や諸々のデータを記憶する為のメモリを備えている。また、電子機器からバッテリパックの各種情報の送信要求をドライバ部にて受け、通信データ作成部にて作成されたデータをドライバ部から電子機器に送信する。通信方式としては、周知技術であるＳＭＢｕｓ方式等が利用でき、２つの通信ラインであるデータラインＳＤＡ、クロックラインＳＣＬを介して、データ信号等を送信、受信する機能を備えている。また、パック電池Ａ１は、識別用抵抗体ＲｓをデータラインＳＤＡと、グランドとの間に電気接続している。図２においては、識別用抵抗体ＲｓとデータラインＳＤＡが通信部９内で結線されているが、通信部９の外で結線されていても良い。また、識別用抵抗体Ｒｓを利用しないときに、識別用抵抗体Ｒｓを介して電流がグランドに流れないように、スイッチング素子を追加しても良い。
【００２６】
次に、図３を用いて、パック電池Ａ２と、これを充電する電源を備える電子機器Ｃ２とを備えている。電子機器Ｃ２は、ノート型のような携帯型パーソナルコンピュータでも、充電器であっても良い。パック電池Ａ２は、通常、電子機器Ｃ２に着脱自在に装着される構造である。電子機器Ｃ２には、コンセントからの交流商用電力を直流電力に変換するアダプター（図示せず）から出力される直流電力が供給され、この電力を制御し、供給するマイコンを内蔵する制御・電源手段Ｓを備えている。制御・電源手段Ｓからの電力出力は、パック電池Ａ２を充電するのに利用される。
【００２７】
電子機器Ｃ２は、パック電池Ａ２（または、パック電池Ａ１）の識別用抵抗体Ｒｓに電圧、電力供給するために、制御・電源手段Ｓ内に備える電源部（図示せず）から電源Ｖ(５Ｖ)を供給して、抵抗Ｒを接続している。電子機器Ｃ２においては、電源Ｖより、抵抗Ｒ、端子ＴＶ、端子ＴＳを介して、パック電池Ａ２の識別用抵抗体Ｒｓに電力が供給されて、識別用抵抗体Ｒｓによる分圧である電圧Ｒｓ×Ｖ／（Ｒｓ＋Ｒ）を制御・電源手段Ｓが判定することで、パック電池Ａ２が正常品であるかを識別する。正常品であると識別したとき、制御・電源手段Ｓは充電を開始する。また、正常品でないと判定されるときには、電子機器Ｃ２の制御・電源手段Ｓは充電を開始しない。図３においては、識別用抵抗体Ｒｓと端子ＴＳからのラインが制御部１５内で結線されているが、制御部１５の外で結線されていても良い。
【００２８】
パック電池Ａ２においては、リチウムイオン等の二次電池１と、この電池１の過充電と過放電を保護するため、保護ＩＣである制御部１５とを備えている。ここで、制御部５は、充電電流、放電電流を遮断するために、ｎチャネル型FETである充電用FET素子１７１、放電用FET素子１７２に対して、オンオフ制御する信号を発する。制御部５においては、電池１の電圧が、過充電電圧以上（第２充電電圧、４．２Ｖ以上）になると、充電用FET素子１７１をオフ制御するために、オフ信号（素子１７１がｎチャネル型FETのゲートに印加するため、オフ信号の電圧は、Low電圧の信号に相当する）を、ポートＣＨより発する。また、電池１の電圧が、過放電電圧以下（例えば、２．３Ｖ／Cell以下）になると、放電用FET素子１７２をオフ制御するために、オフ信号（素子１７２がｎチャネル型FETのゲートに印加するため、オフ信号の電圧は、Loｗ電圧の信号に相当する）を、ポートＤＳＧより発する。なお、上述のように、素子１７１、１７２のｎチャネル型FETのゲートに印加するため、オフ信号の電圧は、Loｗ電圧の信号に相当し、オン信号の電圧は、High電圧の信号に相当する。また、過充電状態においては、制御部５よりポートＣＨにオフ信号が発せられることより、充電は停止される。このときは、電子機器Ｃ２が放電すると、ＤＳＧはオン信号であるので、放電用FET素子７２がオン状態で、オフ状態の充電用FET素子１７１の寄生ダイオード１７１Ｂを介して、放電できる。また、過放電状態においては、制御部５よりポートＤＳＧにオフ信号が発せられることより、放電は停止される。このときは、電子機器Ｃ１が充電すると、ＣＨはオン信号であるので、充電用FET素子１７１がオン状態で、オフ状態の放電用FET素子１７２の寄生ダイオード１７２Ｂを介して、充電できる。
【００２９】
本発明の実施例においては、以下の手順で、パック電池Ａ１が、電子機器Ｃ１に接続され、充電が進められる（図１の矢印１のケース）。制御・電源手段Ｓ内の電源部より通信ラインの端部に、電源Ｖを供給する。そして、パック電池Ａ１が正常品かどうかを表す、ＩＤ(=身分証明)に相当する情報（例えば、機種名を示す情報）を要求する信号を、パック電池Ａに、通信ラインを介して送信する。パック電池Ａにおいては、この要求信号を受信できたこと等により、制御部５は電子機器Ｃ１を正常品と判定する。そして、制御部５により、この要求信号に対応して、メモリー内に保存されたＩＤに相当する情報を取り出して、電子機器Ｃ１側に、送信する。そして、電子機器Ｃ１の制御・電源手段Ｓにおいては、このＩＤ情報を検証して、正常品の情報と認定されたときは、充電を開始する。また、正常品でないと判定されるときには、電子機器Ｃ１の制御・電源手段Ｓは充電を開始しない。
【００３０】
また、パック電池Ａ１が、電子機器Ｃ２に接続されたときは、以下の手順で、充電が進められる（図１の矢印３のケース）。電子機器Ｃ２の電源端子ＴＶが、パック電池Ａ１のデータラインＳＤＡの端子に接続される。制御・電源手段Ｓ内の電源部よりパック電池Ａ１のデータラインＳＤＡの端部に、電源Ｖを供給する。そして、パック電池Ａ２のデータラインＳＤＡに接続された識別用抵抗体Ｒｓによる分圧電圧を、制御・電源手段Ｓが検出して、正常品であると識別したとき、制御・電源手段Ｓは、定電流・定電圧（約４．２Ｖ）の充電を開始する。このとき、パック電池Ａ１の制御部５は、上述のように、通信処理による識別機能を利用していないことを検知することで、低い第２充電電圧による充電であると判定して、過充電電圧を、第２充電電圧（約４．２Ｖ以下）に変更する。
【００３１】
本発明の実施例においては、以下の手順で、パック電池Ａ２が、電子機器Ｃ２に接続され、充電、が進められる（図１の矢印４のケース）。本発明の実施例においては、以下の手順で、パック電池Ａ２が、電子機器Ｃ２に接続され、充電が進められる。制御・電源手段Ｓ内の電源部より通信ラインの端部に、電源Ｖを供給する。そして、識別用抵抗体Ｒｓによる分圧電圧を、制御・電源手段Ｓが検出して、正常品であると識別したとき、制御・電源手段Ｓは、定電流・定電圧の充電を開始する。
【００３２】
本発明の実施例においては、以下の手順で、パック電池Ａ２が、電子機器Ｃ１に接続され、充電が進められる（図１の矢印２のケース）。本発明の実施例においては、以下の手順で、パック電池Ａ２が、電子機器Ｃ１に接続され、充電が進められる。制御・電源手段Ｓ内の電源部より通信ラインの端部に、電源Ｖを供給する。上述のように、制御・電源手段Ｓにおいては通信ができないので、通信処理により、パック電池が正常品と識別できずこの段階では充電を開始しない。次に、識別用抵抗体Ｒｓによる分圧である電圧Ｒｓ×Ｖ／（Ｒｓ＋Ｒ）を制御・電源手段Ｓが判定することで、パック電池が正常品であるかを識別する。正常品であると識別したとき、低い電圧（第２充電電圧、約４．２Ｖ）にて制御・電源手段Ｓは充電を開始する。また、正常品でないと判定されるときには、電子機器Ｃ１の制御・電源手段Ｓは充電を開始しない。
【００３３】
また、高い電圧で充電できるリチウムイオン電池について、以下に説明する。従来からの低い電圧（約４．２Ｖ以下）にて充電できるリチウムイオン電池がある。そして、最近では、従来よりも高い電圧で充電できるリチウムイオン電池が利用されている。その正極には、従来の正極のコバルト酸リチウムと異なり、Li-Ni-Mn-Co複合酸化物とコバルト酸リチウム混合を利用している。この材料は、高電圧で充電しても熱安定性が高く、充電最大電圧（＝設定電圧）約４．３Ｖで充電することが可能で、高電圧化により容量が大きくなっている。そして、このような高電圧な電池に対応した高電圧な充電器（最大出力電圧が、約４．３Ｖ）が利用される。
【図面の簡単な説明】
【００３４】
【図１】本発明の実施例の概略を説明する図である。
【図２】本発明の実施例の電池パック、電子機器の回路ブロック図である。
【図３】本発明の実施例の他の電池パック、他の電子機器の回路ブロック図である。
【符号の説明】
【００３５】
Ａ１、Ａ２…パック電池
Ｃ１、Ｃ２…電子機器
ＭＰＵ  マイクロプロセッサユニット
１  電池
２  抵抗（電流検出部）
４  残容量積算処理部
５  制御部（制御手段）
７  制御素子
９  通信部
【図１】
2007189789.tif 000003
【図２】
2007189789.tif 000004
【図３】
2007189789.tif 000005
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
電子機器より充電されると共に、該電子機器と通信を行うパック電池であって、
該パック電池内の通信ラインに電気接続された識別用抵抗体と、
前記通信ラインからの通信処理により前記電子機器の識別判定を行う識別機能を有する制御手段とを備えることを特徴とするパック電池。
【請求項２】
パック電池を充電する電子機器であって、
前記パック電池に接続される通信ラインと、この通信ラインを介してパック電池の識別判定をする識別機能とを備え、
この識別機能が、前記パック電池との通信処理により前記パック電池を識別するデジタル識別機能からなる第１の識別機能と、前記パック電池の識別用抵抗体に電圧を印加して識別判定を行う第２の識別機能を有し、
前記第１の識別機能と前記第２の識別機能のいずれか又は両方で正常と判定される前記パック電池を充電して、正常でないと判定される前記パック電池を充電しない制御電源回路を有する電子機器。
【請求項３】
前記制御電源回路が、前記第１の識別機能で正常と判別される前記パック電池を第1充電電圧で充電し、前記第１の識別機能で正常と判定されず前記第２の識別機能で正常と判定されるパック電池を第２充電電圧で充電する請求項２に記載される電子機器。
【請求項４】
前記制御電源回路が、前記第２の充電電圧を、前記第１の充電電圧よりも低く設定している請求項３に記載される電子機器。
【手続補正３】
【補正対象書類名】明細書
【補正対象項目名】０００１
【補正方法】変更
【補正の内容】
【０００１】
本発明は、パック電池、電子機器に関する。
【手続補正４】
【補正対象書類名】明細書
【補正対象項目名】０００９
【補正方法】変更
【補正の内容】
【０００９】
なお、他の電子機器は、前記識別用抵抗体に電圧を印加して前記パック電池の識別判定を行う識別機能を有する。
【手続補正５】
【補正対象書類名】明細書
【補正対象項目名】００１０
【補正方法】変更
【補正の内容】
【００１０】
そして、本発明の電子機器として、前記制御手段の識別機能を利用して前記パック電池の識別判定を行う識別機能を有する前記電子機器においては、該識別機能により前記パック電池が正常品であると識別されたとき、前記電子機器は、定電圧である第1充電電圧にて充電を行い、該識別機能により前記パック電池が正常品と識別されないとき、前記電子機器は、前記第1充電電圧より低い定電圧である第２充電電圧にて充電を行う電圧手段を備えることを特徴とする。
即ち、本発明においては、パック電池を充電する電子機器であって、前記パック電池に接続される通信ラインと、この通信ラインを介してパック電池の識別判定をする識別機能とを備え、  この識別機能が、前記パック電池との通信処理により前記パック電池を識別するデジタル識別機能からなる第１の識別機能と、前記パック電池の識別用抵抗体に電圧を印加して識別判定を行う第２の識別機能を有し、  前記第１の識別機能と前記第２の識別機能のいずれか又は両方で正常と判定される前記パック電池を充電して、正常でないと判定される前記パック電池を充電しない制御電源回路を有する。また、前記制御電源回路が、前記第１の識別機能で正常と判別される前記パック電池を第1充電電圧で充電し、前記第１の識別機能で正常と判定されず前記第２の識別機能で正常と判定されるパック電池を第２充電電圧で充電する。そして、前記制御電源回路が、前記第２の充電電圧を、前記第１の充電電圧よりも低く設定している。